(57)【要約】      （修正有）【課題】予め複数の支柱木を連結して柵ユニットを形成しておき、この柵ユニットを作業現場において複数配設することで簡単に設置することができる防風柵工を提供する。【解決手段】柵ユニット１であって、第１の支柱木２と第２の支柱木３とが交互に隣接して配設され、第１の支柱木２の上部には、第１の挿通孔が形成され、第２の支柱木３の上部には、第２の挿通孔が形成され、前記第１の挿通孔及び前記第２の挿通孔に連結軸５が挿通されて、第１の支柱木２と第２の支柱木３とが連結され、第１の支柱木２、及び、第２の支柱木３は、連結軸５を支点として回動可能に形成され、第１の支柱木２同士が、それぞれの下部を第１の連結桟８で連結され、第２の支柱木３同士が、それぞれの下部を第２の連結桟９で連結されて構成されていることを特徴とする。【選択図】図１
0003207397.tif 000002
【実用新案登録請求の範囲】
【請求項１】
第１の支柱木と第２の支柱木とが交互に隣接して配設され、
前記第１の支柱木の上部には、第１の挿通孔が形成され、
前記第２の支柱木の上部には、第２の挿通孔が形成され、
前記第１の挿通孔及び前記第２の挿通孔に連結軸が挿通されて、前記第１の支柱木と第２の支柱木とが連結され、前記第１の支柱木、及び、前記第２の支柱木は、前記連結軸を支点として回動可能に形成され、
前記第１の支柱木同士が、それぞれの下部を第１の連結桟で連結され、
前記第２の支柱木同士が、それぞれの下部を第２の連結桟で連結されて
構成されていることを特徴とする柵ユニット。
【請求項２】
前記第１の支柱木及び前紀第２の支柱木は、プレーナー加工及び面取り加工された角材で形成されていることを特徴とする請求項１に記載の柵ユニット。
【請求項３】
請求項１又は請求項２に記載の柵ユニットを、複数配設して構成された防風柵工であって、
前記柵ユニットの各々は、
前記第１の支柱木と前記第２の支柱木が、前記連結軸を支点として互いの下部同士が離隔する方向に回動されて、合掌型に形成されて設置されている
ことを特徴とする防風柵工。
【考案の詳細な説明】
【技術分野】
【０００１】
本考案は、防風柵工に関し、特に、海岸部又はその近傍に設置される防風柵工に関するものである。
【背景技術】
【０００２】
従来から、海岸部又はその近傍には、陸側の道路、人家、農地等を、海側からの強風、飛砂、飛来塩分等から防護するために、防風林が設置されることが知られている。また、防風林として植栽された植栽木を保護するために、防風林よりも海岸側に防風柵工を設置されることも知られている。なお、「防風柵工」は、「防風工」、「防風柵」、「防風・防砂柵」等と呼ばれることもある。
【０００３】
上記防風柵工として、例えば、特許文献１には、「複数の木製の支柱と、前記支柱に交差して延びるとともに前記支柱の上方に位置する第１横木および前記第１横木の下方に位置する第２横木と、前記支柱および前記第１横木、前記支柱および前記第２横木をそれぞれ連結する木製の連結具と、前記支柱の間に位置し前記第１横木および前記第２横木に交差して延びる複数の縦木と、前記第１横木または第２横木と、前記縦木とを互いに固定する植物由来材料によって構成される固定具と、を備えたことを特徴とする防風・防砂柵」（特許文献１の「請求項１」参照。）が記載されている。
【先行技術文献】
【特許文献】
【０００４】
【特許文献１】登録実用新案第３２０１９０３号公報
【考案の概要】
【考案が解決しようとする課題】
【０００５】
特許文献１に「このような防風・防砂柵１を施工する際、作業者は一本目の支柱２の下端部２Ｂ側を地中に埋設し、続いて第２横木４の一端部４Ａの貫通孔４１Ａと支柱２の貫通孔２１Ａとを一致させ、棒体５１を挿入して仮止めする。このとき第２横木４から手を放すと、一端部４Ａは棒体５１によって保持され、他端部４Ｂは地面で保持される。次に、作業者は第２横木４の他端部４Ｂ側へと移動し、設置した他端部４Ｂの近傍に二本目の支柱２の下端部２Ｂを埋設する。次に、第２横木４の他端部４Ｂの貫通孔４１Ａおよび二本目の支柱２の貫通孔２１Ａに棒体５１を挿入し仮止めする。同様に、第１横木３の一端部３Ａおよび他端部３Ｂも支柱２に仮止めする。次に、二枚の第１横木３の間および二枚の第２横木４の間を通るように縦木６を挿入する。二枚の第１横木３および二枚の第２横木４の間隔は、それぞれ縦木６の厚さよりも大きくしておく。縦木６の下端部６Ｂは地面に当接し保持される。縦木６を挿入したら、仮止めしていた第１横木３の一端部３Ａおよび他端部３Ｂをそれぞれ連結具５で支柱２に固定するとともに、第２横木４の一端部４Ａおよび他端部４Ｂも連結具５で支柱２に固定する。さらに、縦木６と第１横木３との間、縦木６と第２横木４との間に固定具７を挿入し、これらを固定する。」（段落「００１５」、図１〜図３参照。）と記載されているように、特許文献１の「防風・防砂柵」は、作業者が作業現場において、個々の部材（一本目の支柱２、第２横木４、棒体５１、二本目の支柱２、・・・）について、埋設、挿入、仮止め、固定等の作業を順次行う必要があり、非常に工期に時間が掛かるものと推量される。また、悪天候時は、作業が中断してしまうので、さらに工期に時間を要する。
【０００６】
そこで、本考案は、複数の支柱木を連結してユニット化して構成され、組立を簡単に行うことができる柵ユニットを提供することを目的とする。
【０００７】
また、本考案は、柵ユニットを構成する複数の第１の支柱木同士を連結し、複数の第２の支柱木同士を連結することで、容易にかつ高強度の合掌型の防風柵工を形成することができる柵ユニットを提供することを目的とする。
【０００８】
また、本考案は、上記柵ユニットを作業現場において複数配設することで簡単に設置することができる防風柵工を提供することを目的とする。
【課題を解決するための手段】
【０００９】
上記の目的を達成するため、請求項１の考案では、柵ユニットであって、第１の支柱木と第２の支柱木とが交互に隣接して配設され、前記第１の支柱木の上部には、第１の挿通孔が形成され、前記第２の支柱木の上部には、第２の挿通孔が形成され、前記第１の挿通孔及び前記第２の挿通孔に連結軸が挿通されて、前記第１の支柱木と第２の支柱木とが連結され、前記第１の支柱木、及び、前記第２の支柱木は、前記連結軸を支点として回動可能に形成され、前記第１の支柱木同士が、それぞれの下部を第１の連結桟で連結され、前記第２の支柱木同士が、それぞれの下部を第２の連結桟で連結されて構成されていることを特徴とする。
【００１０】
また、請求項２の考案では、請求項１に記載の柵ユニットであって、前記第１の支柱木及び前紀第２の支柱木は、プレーナー加工及び面取り加工された角材で形成されていることを特徴とする。
【００１１】
また、請求項３の考案では、請求項１又は請求項２に記載の柵ユニットを複数配設して構成された防風柵工であって、前記柵ユニットの各々は、前記第１の支柱木と前記第２の支柱木が、前記連結軸を支点として互いの下部同士が離隔する方向に回動されて、合掌型に形成されて設置されていることを特徴とする。
【考案の効果】
【００１２】
本考案の柵ユニットによれば、複数本の支柱木を連結軸で連結してユニット化したので、保管するときには柵ユニットをパネル状態にして積層することができ、狭い場所でも大量の保管を可能にすることができるという顕著な効果を奏する。また、予め工場等で柵ユニットを製造して保管することができるので、防風柵工としての工期の短縮を図ることができるという顕著な効果を奏する。
【００１３】
また、本考案の柵ユニットによれば、第１の支柱木同士を第１の連結桟で連結し、第２の支柱木同士を第２の連結桟で連結したので、この柵ユニットを用いて防風柵工を形成するときに、複数本の第１及び第２の支柱木を同時に回動させて、簡単に合掌型の防風柵工を形成することができるという顕著な効果を奏する。
【００１４】
本考案の防風柵工によれば、上記の柵ユニットを用いることで、作業現場の天候の影響も軽減され、簡単に設置することができるという顕著な効果を奏する。
【図面の簡単な説明】
【００１５】
【図１】本考案の実施形態における柵ユニットの外観斜視図である。
【図２】図１の正面図である。
【図３】図１の左側面図である。
【図４】図１の平面図である。
【図５】図１の要部拡大図である。
【図６】本考案の実施形態における防風柵工の外観斜視図である。
【図７】本考案の実施形態における防風柵工の正面図である。
【図８】図７の左側面図である。
【考案を実施するための形態】
【００１６】
以下、好適な実施形態を用いて本考案をさらに具体的に説明する。但し、下記の実施形態は本考案を具現化した例に過ぎず、本考案はこれに限定されるものではない。
【００１７】
（実施形態）
まず、本考案の実施形態における柵ユニット１について、図１〜図５を参照しながら説明する。図１は、柵ユニット１の外観斜視図であり、図２は、図１の正面図であり、図３は、図１の左側面図であり、図４は、図１の平面図である。図５は、図１の要部拡大図であり、図５（ａ）及び図５（ｂ）は、柵ユニット１の両端部の第１の支柱木２及び第２の支柱木３の側面及び平面の要部拡大図であり、図５（ｃ）及び図５（ｄ）は、両端部の支柱木に挟まれた内側の第１の支柱木２及び第２の支柱木３の側面及び平面の要部拡大図ある。
【００１８】
柵ユニット１は、図示するように、平面視で角丸長方形の角材で形成された第１の支柱木２と、第１の支柱木２と略同一形状に形成された第２の支柱木３とが、隣接して交互に配設されている。第１の支柱木２及び第２の支柱木３の長手方向の上部には、連結軸５を挿通するための挿通孔６が開孔されている。この連結軸５は、ボルトで形成されている。柵ユニット１を構成したときに、両端に配設される第１の支柱木２及び第２の支柱木３の挿通孔６の一端部には、座堀孔４が形成されている。座堀孔４は、柵ユニット１の両端部において、連結軸５と第１の支柱木２、及び、連結軸５と第２の支柱木３とを、それぞれ連結軸５（ボルト）とナット７で締結するために設けられている。図示するように、座堀孔４には、座金５ａを挿入してもよい。第１の支柱木２及び第２の支柱木３の材料となる角材は、主伐材でも間伐材でもよく、また、第１の支柱木２、第２の支柱木３は、必要に応じて防腐処理されてもよい。
【００１９】
第１の支柱木２及び第２の支柱木３は、プレーナー加工、及び、面取り加工が施されている。ユニット柵１では、第１の支柱木２と第２の支柱木３とは側面同士が密接して配設されるので、プレーナー加工することで、第１の支柱木２及び第２の支柱木３を後述するように連結軸５を支点に回動するときに、スムーズに回動させることができ、運搬・組立作業時の安全性も向上させることができる。また、角材の四隅を面取り加工することで、運搬・組立時の安全性を向上させることができる。
【００２０】
図示するように、本実施形態の柵ユニット１は、隣接して交互に配設された３本の第１の支柱木２及び３本の第２の支柱木３とで構成され、ユニット柵１の一方の端部に配設された第１の支柱木２に形成された座堀孔４から挿通された連結軸５が、挿通孔６を通して全ての支柱木に挿通され、柵ユニット１の他方の端部に配設された第２の支柱木３の座堀孔４に挿入されたナット７と連結軸５のねじ部を螺合することで、３本の第１の支柱木２と３本の第２の支柱木３とが全て連結される。なお、第１の支柱木２の本数、及び、第２の支柱木３の本数は、必要に応じて適宜増減することができる。
【００２１】
また、３本の第１の支柱木２の下部には、第１の連結桟８が、木ネジ８ａにより固定されている。３本の第２の支柱木３の下部には、第２の連結桟９が、木ネジ９ａにより固定されている。木ネジに代えて釘を用いてもよい。
【００２２】
ここで、柵ユニット１を防風柵工として構成するときは、連結軸５を支点として、第１の支柱木２と第２の支柱木３を、それぞれの下部が離隔する方向に回動される。図３の正面図でみると、連結軸５を支点にして、第１の支柱木２は反時計廻りに回動され、第２の支柱木３は時計廻りに回動される。このとき、本考案の柵ユニット１では、上述したように、３本の第１の支柱木２が、第１の連結桟８によって連結され、３本の第２の支柱木３が、第２の連結桟９によって連結されていることで、個々の支柱木毎に回動させる作業は不要であり、第１の連結桟８、第２の連結桟９によって、それぞれ、３本の第１の支柱木２、３本の第２の支柱木３を、同時に回動させることができ、作業時間を短縮することができる。なお、３本の第１の支柱木２と３本の第２の支柱３とを全て、パネル状態に整列させた状態を閉状態、上述のように連結軸５を支点にして３本の第１の支柱木２と、３本の３本の第２の支柱木３とを、互いに下部同士が離隔する方向に、合掌型に回動した状態を開状態と表現してもよい。
【００２３】
また、第１の支柱木２同士が第１の連結桟８で連結され、第２の支柱木３同士が第２の連結桟９で連結されていることで、第１の支柱木２及び第２の支柱木３を回動して防風柵工として構成したときに、防風柵工としての強度を向上させることができる。第１の連結桟８、第２の連結桟９は、それぞれ、第１の支柱木２、第２の支柱木３の下部に固定されており、防風柵工として設置されるときには、この第１の連結桟８、第２の連結桟９の第１の支柱木２、第２の支柱木３への固定部分は、地中（砂中）に埋設される。これにより、防風柵工としてさらに強度を向上させることができる。
【００２４】
上述したように、第１の支柱木２、及び、第２の支柱木３を連結する手段として、ボルト、ナット、座金を用いたが、座金付きボルトや座金付きナットを用いてもよい。また、第１の連結桟８の第１の支柱木２への取付け位置と、第２の連結桟９の第２の支柱木３への取付け位置は、図示するようにそれぞれの支柱木の下端部からの高さが等しくなるように設定されているが、それぞれ、異なる高さに取り付けられてもよい。
【００２５】
上記の柵ユニット１は、防風柵工の作業現場で製造されるのではなく、予め、工場等で製造しておき、保管しておくことができる。柵ユニット１を、複数本の支柱木で一つのユニットとして構成したので、広大な保管場所を必要とせず、比較的狭い場所にも保管することができる。また、柵ユニット１を保管するときには、第１の支柱木２と第２の支柱木３とを回動させることなく閉状態、いわゆる、パネル状態にして、積層することができるので、狭い場所でも大量の柵ユニット１を保管することができる。
【００２６】
次に、本実施形態の防風柵工１００について、特に図６〜図８を参照しながら説明する。図６は、防風柵工１００の外観斜視図であり、図７は、本実施形態の防風柵工１００の正面図である、図８は、図７の左側面図である。図６では、柵ユニット１を２ユニット配設して防風柵工１００を構成した例を示し、図７は、柵ユニット１を１０ユニット配設して防風柵工１００を構成した例を示す。それぞれの柵ユニット１は、連結軸５を支点にして、第１の支柱木２と第２の支柱木３とが、下部が離隔する方向に回動される、つまり、図８で見れば、第１の支柱木２は反時計廻りに回動され、第２の支柱木３は時計廻りに回動される。各柵ユニット１は、上記の構成で、予め掘削された床堀部１０に設置され、各柵ユニット１が設置された後、床堀部１０は埋め戻される。このとき、第１の連結桟８、及び、第２の連結桟９も支柱木の下部とともに埋設される。上述したように、第１の支柱木２と第２の支柱木３とを互いに下部同士が離隔する方向に回動させて形成した構成を、合掌型という。本実施形態では、複数の柵ユニット１を直線状に配設して防風柵工１００を形成した例を示しているが、柵ユニット１をジグザグに配設したり、並行して配設するなど、必要に応じて適宜変更されてよい。
【００２７】
上述したように、各柵ユニット１は、予め工場等で製造され、パネル状態にして積層されて保管されている。このような柵ユニット１を、必要数、防風柵工１００の設置現場に運搬し、各柵ユニット１を合掌型に組み立てて、予め掘削された床堀部１０に設置する。各柵ユニット１を合掌型に組み立てるときは、第１の連結桟８、及び、第２の連結桟９を、逆向きに可動させることで、第１の連結桟８に連結されている３本の第１の支柱木２、及び、第２の連結桟９に連結されている３本の第２の支柱木３が、連結軸５を支点として同時に回動するので、簡単に合掌型の防風柵工１００を形成することができる。なお、第１の支柱木２と第２の支柱木３との回動角度は、必要に応じて適宜変更することができる。また、第１の支柱木２あるいは第２の支柱木３のいずれか一方を固定して、連結軸５を支点として、他方の支柱木だけを回動させることでも、第１の支柱木２及び第２の支柱木３を同時に回動させることもできる。
【００２８】
合掌型に形成された各柵ユニット１は、図示するように、第１の支柱木２及び第２の支柱木３の下部であって、第１の連結桟８及び第２の連結桟９よりも上部の位置まで、埋戻により埋設される。複数本の第１の支柱木２が連結された第１の連結桟８、及び、複数本の第２の支柱木３が連結された第２の連結桟９も、各支柱の下側部分とともに埋設されるので、より強度の高い防風柵工１００を形成することができる。
【符号の説明】
【００２９】
１      柵ユニット
２      第１の支柱木
３      第２の支柱木
４      座堀孔
５      連結軸（ボルト）
５ａ    座金
６      挿通孔
７      ナット
８      第１の連結桟
８ａ，９ａ  木ネジ
９      第２の連結桟
１０    床堀部
１００  防風柵工
【図１】
0003207397.tif 000003
【図２】
0003207397.tif 000004
【図３】
0003207397.tif 000005
【図４】
0003207397.tif 000006
【図５】
0003207397.tif 000007
【図６】
0003207397.tif 000008
【図７】
0003207397.tif 000009
【図８】
0003207397.tif 000010